(57)【要約】【課題】容易に製造可能な屈曲用プリズムを用いて、目幅調整機構を備えた双眼鏡を提供する。【解決手段】２つの直角プリズム１３ＲＭ，１３ＲＮを、それぞれの側面１３ＭＢ，１３ＮＢ同士が互いに対向し、かつ斜面１３ＭＣ，１３ＮＣ同士が互いに平行になるように組み合わせることにより、屈曲用プリズム１３Ｒを構成する。直角プリズム１３ＲＭ，１３ＲＮは単体の平行四辺形プリズムよりも製造が容易なため、単体の平行四辺形プリズムを用いる場合とは異なり、屈曲用プリズム１３Ｒの製造が容易になる。したがって、眼幅調整機構を備えた双眼鏡を容易に製造可能となる。しかも、製造が容易な直角プリズム１３ＲＭ，１３ＬＭは、製造が困難な単体の平行四辺形プリズムよりも安価なため、双眼鏡のコストダウンも見込まれる。【選択図】　　図５
2004077600.tif 000002
【特許請求の範囲】
【請求項１】
一対の第１の光軸に沿ってそれぞれ一対ずつ配置された対物レンズおよび正立プリズムと、
前記第１の光軸と平行な一対の第２の光軸の各々に沿って配置された一対の接眼レンズと、
これらの対物レンズおよび正立プリズムと接眼レンズとの間に配置され、前記第１の光軸から前記第２の光軸に光束を屈曲させるための一対の屈曲用プリズムと
を備え、
前記屈曲用プリズムの各々が、同一形状の２つの三角プリズムを、それらの斜面同士が互いに平行となり、かつ前記斜面以外の対応する面同士が互いに対向することとなるように組み合わせた平行四辺形プリズムを構成している
ことを特徴とする双眼鏡。
【請求項２】
前記２つの三角プリズムの間に、光束を絞るための開口を有する絞りマスクが配置されている
ことを特徴とする請求項１記載の双眼鏡。
【請求項３】
さらに、
前記２つの三角プリズムを保持するための保持部材を備え、
前記絞りマスクが、前記保持部材と一体化されている
ことを特徴とする請求項２記載の双眼鏡。
【発明の詳細な説明】
【０００１】
【発明の属する技術分野】
本発明は、使用者の眼幅（右眼と左眼との間の間隔）に応じて接眼レンズ間の間隔を調整可能な眼幅調整機構を備えた双眼鏡に関する。
【０００２】
【従来の技術】
遠方の物体や景色などを観察するために、双眼鏡が普及している。この双眼鏡としては、眼幅が異なる複数のユーザーに使用可能とするために、眼幅調整機構を備えたものが知られている。
【０００３】
図９は、眼幅調整機構を備えた従来の双眼鏡の要部（光学系）構成を概略的に表している。この双眼鏡は、図９に示したように、一対の光軸ＢＲ１，ＢＲ１に沿ってそれぞれ一対ずつ配置された対物レンズ１２２Ｒ，１２２Ｌおよび正立プリズム１３０Ｒ，１３０Ｌと、光軸ＢＲ１，ＢＬ１と平行な他の光軸ＢＲ２，ＢＬ２の各々に沿って配置された一対の接眼レンズ１１２Ｒ，１１２Ｌと、これらの対物レンズ１２２Ｒ，１２２Ｌおよび正立プリズム１３０Ｒ，１３０Ｌと接眼レンズ１１２Ｒ，１１２Ｌとの間に配置された一対の屈曲用プリズム１１３Ｒ，１１３Ｌとを備えている。屈曲用プリズム１１３Ｒ，１１３Ｌは、いずれも菱形プリズム等、断面形状が平行四辺形をなす単体の平行四辺形プリズムにより構成されており、光軸ＢＲ１，ＢＬ１から光軸ＢＲ２，ＢＬ２にそれぞれ光束を屈曲させる機能を有している。
【０００４】
この双眼鏡では、対物レンズ１２２Ｒ，１２２Ｌおよび正立プリズム１３０Ｒ，１３０Ｌを静止させた状態において、接眼レンズ１１２Ｒ，１１２Ｌが離接自在にそれぞれ光軸ＢＲ１，ＢＬ１を中心として回転可能になっている。屈曲用プリズム１１３Ｒ，１１３Ｌによる光束の屈曲現象を利用して、使用者の眼幅に応じて接眼レンズ１１２Ｒ，１１２Ｌを回転させた場合においても光路が確保されるため、所望の眼幅で双眼鏡を使用可能となる。
【０００５】
屈曲用プリズム１１３Ｒ，１１３Ｌでは、光路を確保する上で必要な面以外の面において光束が意図しない方向に反射すると、この不要な光束の内面反射に起因してコントラストが低下するおそれがある。このコントラストの低下を防止する対策としては、例えば、図１０に示したように、屈曲用プリズム１１３Ｒ（または１１３Ｌ）の両側面の対角線部に２つの内面反射防止用の溝（スリット）１１３Ｓを設ける手法が挙げられる。
【０００６】
【発明が解決しようとする課題】
しかしながら、従来の屈曲用プリズム１１３Ｒ，１１３Ｌは、いずれも製造が困難な平行四辺形プリズムにより構成されているため、その屈曲用プリズム１１３Ｒ，１１３Ｌを製造する際、対向する面の平行度を精度よく研磨・加工するのが困難である。さらに、微細なスリット１１３Ｓの形成に高度な加工技術を要するため、屈曲用プリズム１１３Ｒ，１１３Ｌの製造がより煩雑になってしまう。
【０００７】
本発明はかかる問題点に鑑みてなされたもので、その第１の目的は、容易に製造可能な屈曲用プリズムを用いて、目幅調整機構を備えた双眼鏡を提供することにある。
【０００８】
また、本発明の第２の目的は、屈曲用プリズムについて不要な光束の内面反射に起因するコントラストの低下を防止することが可能な双眼鏡を提供することにある。
【０００９】
【課題を解決するための手段】
本発明に係る双眼鏡は、一対の第１の光軸に沿ってそれぞれ一対ずつ配置された対物レンズおよび正立プリズムと、第１の光軸と平行な一対の第２の光軸の各々に沿って配置された一対の接眼レンズと、これらの対物レンズおよび正立プリズムと接眼レンズとの間に配置され、第１の光軸から第２の光軸に光束を屈曲させるための一対の屈曲用プリズムとを備え、屈曲用プリズムの各々が、同一形状の２つの三角プリズムを、それらの斜面同士が互いに平行となり、かつ斜面以外の対応する面同士が互いに対向することとなるように組み合わせた平行四辺形プリズムを構成しているものである。
【００１０】
本発明に係る双眼鏡では、屈曲用プリズムが、製造容易な２つの三角プリズムを組み合わせてなる平行四辺形プリズムを構成しているため、単体の平行四辺形プリズムを用いる場合とは異なり、屈曲用プリズムの製造が容易になる。
【００１１】
本発明に係る双眼鏡では、例えば、一対の第２の光軸の各々が、一対の第１の光軸を中心として回転可能であり、一対の第２の光軸間の間隔が、それらの第２の光軸の回転を利用して調整可能であるようにしてもよい。
【００１２】
また、本発明に係る双眼鏡では、２つの三角プリズムの間に、光束を絞るための開口を有する絞りマスクが配置されているのが好ましい。
【００１３】
本発明に係る双眼鏡では、光路を絞る機能を果たす絞りマスクの存在により、内面反射防止用のスリットを設けなくても、２つの三角プリズムにおいて不要な光束の内面反射が防止される。
【００１４】
また、本発明に係る双眼鏡では、さらに、２つの三角プリズムを保持するための保持部材を備え、絞りマスクが保持部材と一体化されているのが好ましい。
【００１５】
また、本発明に係る双眼鏡では、例えば、絞りマスクの開口内に、２つの三角プリズム同士を光学的に接合するための接合剤が充填されているようにしてもよい。
【００１６】
【発明の実施の形態】
以下、本発明の実施の形態について、図面を参照して詳細に説明する。
【００１７】
まず、図１〜図４を参照して、本発明の一実施の形態に係る双眼鏡の構成について説明する。図１は双眼鏡の外観斜視構成を表し、図２は図１に示した双眼鏡のＸＹ面に沿った断面構成を表し、図３は双眼鏡のＹＺ面に沿った断面構成を表し、図４は双眼鏡の要部の斜視構成を拡大して表している。なお、図２〜図４中のＢＲ１，ＢＬ１，ＢＲ２，ＢＬ２は光軸を示している。
【００１８】
この双眼鏡は、使用者の眼幅に応じて接眼レンズ間の間隔を調整可能な眼幅調整機構と共に、観察像を安定化することが可能な像安定化機構とを備えたものである。
【００１９】
具体的には、この双眼鏡は、図１に示したように、例えば、略直方体状のボディ１の後面に接眼レンズ部１０Ｒ，１０Ｌが取り付けられ、かつ前面に対物レンズ部１０Ｒ，１０Ｌが取り付けられた構成をなしている。このボディ１の内部には、図２〜図４に示したように、回路基板４０と、この回路基板４０の上方に配置され、正立プリズム３０Ｒ，３０Ｌを保持する像安定化機構５０とが収納されている。
【００２０】
接眼レンズ部１０Ｒは、接眼筒１１Ｒと、この接眼筒１１Ｒに連結されたプリズムホルダ８０Ｒとを含み、接眼筒１１Ｒにより光軸ＢＲ２（第２の光軸）に沿って配置された接眼レンズ１２Ｒが保持され、かつプリズムホルダ８０Ｒにより屈曲用プリズム１３Ｒが保持された構成をなしている。屈曲用プリズム１３Ｒは、互いに同一形状の２つの三角プリズム、例えば直角三角形プリズム（以下、単に「直角プリズム」という）１３ＲＭ，１３ＲＮを組み合わせて構成されており、光軸ＢＲ１から光軸ＢＲ２に光束を屈曲させるためのものである。また、接眼レンズ部１０Ｌも同様に、接眼筒１１Ｌと、この接眼筒１１Ｌに連結されたプリズムホルダ８０Ｌとを含み、接眼筒１１Ｌにより光軸ＢＬ２（第２の光軸）に沿って配置された接眼レンズ１２Ｌが保持され、かつプリズムホルダ８０Ｌにより屈曲用プリズム１３Ｌが保持された構成をなしている。屈曲用プリズム１３Ｌは、互いに同一形状の２つの三角プリズム、例えば直角プリズム１３ＬＭ，１３ＬＮを組み合わせて構成されており、光軸ＢＬ１から光軸ＢＬ２に光束を屈曲させるためのものである。プリズムホルダ８０Ｒ，８０Ｌはいずれも回転軸部８０Ｈを有し、それぞれ回転軸部８０Ｈ（すなわち後述する光軸ＢＲ１，ＢＬ１）を中心として回転可能となるようにボディ１に嵌め込まれている。このプリズムホルダ８０Ｒ，８０Ｌの回転機構を利用して接眼筒１１Ｒ，１１Ｌ（すなわち光軸ＢＲ２，ＢＬ２）が矢印ＲＴに沿って回転することにより、使用者の眼幅に応じて接眼レンズ１２Ｒ，１２Ｌ間の間隔を調整可能になっている。ここで、プリズムホルダ８０Ｒ，８０Ｌが本発明における「保持部材」の一具体例に対応する。
【００２１】
対物レンズ部２０Ｒは、対物筒２１Ｒにより光軸ＢＲ１（第１の光軸）に沿って配置された対物レンズ２２Ｒが保持された構成をなしている。また、対物レンズ部２０Ｌも同様に、対物筒２１Ｌにより光軸ＢＬ１（第１の光軸）に沿って配置された対物レンズ２２Ｌが保持された構成をなしている。
【００２２】
なお、図２〜図４では、接眼レンズ１２Ｒ，１２Ｌおよび対物レンズ２２Ｒ，２２Ｌを簡略化して示しているが、これらの接眼レンズ１２Ｒ，１２Ｌおよび対物レンズ２２Ｒ，２２Ｌは、実際はいずれも複数のレンズ群により構成されている。
【００２３】
回路基板４０は、主に像安定化機構５０を制御するためのものであり、例えばＣＰＵ（中央演算処理装置；Ｃｅｎｔｒａｌ　Ｐｒｏｃｅｓｓｉｎｇ　Ｕｎｉｔ　）などの制御用デバイスを含んで構成されている。
【００２４】
像安定化機構５０は、正立プリズム３０Ｒ，３０Ｌを保持するインナジンバル５２およびアウタジンバル５１と、ジャイロセンサ７０Ｅ，７０Ａとを含んで構成されている。
【００２５】
アウタジンバル５１は、例えば、インナジンバル５１を収容するための収容枠部５１Ｗと、この収容枠部５１Ｗから部分的に前方に突出した突出枠部５１Ｔとが一体化された構成をなしている。このアウタジンバル５１は、収容枠部５１Ｗの側面に附設されたモータ５３の駆動力を利用して、回動軸ＪＥを中心として矢印ＲＥの方向（エレベーション方向）に回動可能になっている。突出枠部５１Ｔの内面には、回路基板４０と同様の機能を担う回路基板７０が取り付けられている。
【００２６】
インナジンバル５２は、例えば、円形の２つの開口５２Ｋが設けられた箱の内部に、正立プリズム３０Ｒ，３０Ｌが収容された構成をなしている。このインナジンバル５２は、例えば下面に附設されたモータ５４の駆動力を利用して、回動軸ＪＥと直交する回動軸ＪＡを中心として矢印ＲＡの方向（アジマス方向）に回動可能になっている。
【００２７】
ジャイロセンサ７０Ｅは、アウタジンバル５１のエレベーション方向における角速度を検出するためのものであり、例えば、アウタジンバル５１の突出枠部５１Ｔに設けられている。また、ジャイロセンサ７０Ａは、インナジンバル５２のアジマス方向における角速度を検出するためのものであり、例えば、インナジンバル５２の前面に設けられている。
【００２８】
次に、図５および図６を参照して、プリズムホルダ８０Ｒの詳細な構成について説明する。図５および図６はプリズムホルダ８０Ｒの外観斜視構成を拡大して表すものであり、図５は屈曲用プリズム１３Ｒを装着する前の状態、図６は屈曲用プリズム１３Ｒを装着した状態をそれぞれ示している。
【００２９】
プリズムホルダ８０Ｒは、図５に示したように、下面に回転軸部８０Ｈが連結され、かつ上面に窪み８１Ｖが設けられたホルダ本体８１を含み、このホルダ本体８１の窪み８１Ｖに、プリズム保持窪み８２，８３と、ホルダ本体８１と一体化されたマスク板８４およびプリズム保持部８５とが設けられた構成をなしている。
【００３０】
プリズム保持窪み８２は、直角プリズム１３ＲＮの一面（後述する底面１３ＮＡ）を保持するためのものであり、その底面に、光路を確保するための開口８２Ｋが設けられている。
【００３１】
プリズム保持窪み８３は、直角プリズム１３ＲＭの一鋭角稜線部分を保持するためのものである。
【００３２】
マスク板８４は、直角プリズム１３ＲＭ，１３ＲＮの双方に隣接し、これらの直角プリズム１３ＭＲ，１３ＲＮにおける不要な光束の内面反射を防止するためのものである。このマスク板８４は、遮光性材料により構成されており、プリズム保持窪み８２，８３間に立設されている。このマスク板８４には、光路を絞るための開口８４Ｋが設けられている。ここで、マスク板８４が本発明における「絞りマスク」の一具体例に対応する。
【００３３】
プリズム保持部８５は、直角プリズム１３ＲＭの一面（後述する斜面１３ＭＣ）を保持するための階段状構造をなすものであり、１段目の保持面８５Ｆ１と、２段目の保持面８５Ｆ２とを有している。
【００３４】
次に、図３、図５および図６を参照して、プリズムホルダ８０Ｒによる屈曲用プリズム１３Ｒの保持機構について説明する。
【００３５】
屈曲用プリズム１３Ｒを構成する直角プリズム１３ＲＭは、図５に示したように、矩形状の底面１３ＭＡ，側面１３ＭＢ，斜面１３ＭＣ、ならびに直角三角形状の側面１３ＭＤ，１３ＭＥを有している。また、直角プリズム１３ＲＮは、直角プリズム１３Ｎと同一形状をなすものであり、矩形状の底面１３ＮＡ，側面１３ＮＢ，斜面１３ＮＣ、ならびに直角三角形状の側面１３ＮＤ，１３ＮＥを有している。これらの屈曲用プリズム１３ＲＭ，１３ＲＮは、それぞれの側面１３ＭＢ，１３ＮＢ（斜面１３ＭＣ，１３ＮＣ以外の対応する面）同士が互いに対向し、かつ斜面１３ＭＣ，１３ＮＣ同士が互いに平行になるように組み合わされた状態において、プリズムホルダ８０Ｒにより保持される。すなわち、図６に示したように、マスク板８４に沿って直角プリズム１３ＲＮがプリズム保持窪み８２に嵌め込まれることにより、そのプリズム保持窪み８２により底面１３ＮＡが保持される。また、マスク板８４およびプリズム保持部８５に沿って直角プリズム１３ＲＭの一鋭角稜線部分がプリズム保持窪み８３に挿入されることにより、プリズム保持部８５の保持面８５Ｆ１，８５Ｆ２により斜面１３ＭＣが保持される。
【００３６】
なお、プリズムホルダ８０Ｌの構成ならびにこのプリズムホルダ８０Ｌによる屈曲用プリズム１３Ｌの保持機構は、上記したプリズムホルダ８０Ｒおよび屈曲用プリズム１３Ｒの場合と同様であるので、その説明を省略する。
【００３７】
次に、図１〜図６を参照して、双眼鏡の作用について説明する。
【００３８】
この双眼鏡では、図１〜図４に示したように、対物レンズ部２０Ｒの対物レンズ２２Ｒにおいて集光された光束が、正立プリズム３０Ｒにおいて内面反射され、引き続き屈曲用プリズム１３Ｒにおいて屈曲されることにより、接眼レンズ部１０Ｒの接眼レンズ１２Ｒまで導かれる。これにより、正立像に対応した光束が、光軸ＢＲ１から光軸ＢＲ２に屈曲される。
【００３９】
屈曲用プリズム１３Ｒにおける光束の屈曲機構に関する詳細は、以下の通りである。すなわち、図３、図５および図６に示したように、プリズム保持窪み８２の開口８２Ｋを通じて底面１３ＮＡから直角プリズム１３ＲＮに入射された光束は、斜面１３ＮＣで反射されたのち、側面１３ＮＢからマスク板８４の開口８４Ｋに向けて出射される。そして、この光束は、開口８４Ｋを通じて側面１３ＭＢから直角プリズム１３Ｍに入射され、斜面１３ＭＣで反射されたのち、底面１３ＭＡから接眼レンズ１２Ｒに向けて出射される。
【００４０】
なお、上記した屈曲用プリズム１３Ｒによる光軸ＢＲ１から光軸ＢＲ２への光束の屈曲機構は、屈曲用プリズム１３Ｌによる光軸ＢＬ１から光軸ＢＬ２への光束の屈曲機構についても同様であるので、その説明を省略する。
【００４１】
この双眼鏡では、特に、像安定化機構５０により以下の手順で観察像が安定化される。
【００４２】
すなわち、使用者により双眼鏡が稼働され、像安定化機構５０のアウタジンバル５１およびインナジンバル５２がケージング（回動不可）状態からアンケージング（回動可）状態に移行した状態において、揺れや振動等に起因してアウタジンバル５１がエレベーション方向に回動すると、ジャイロセンサ７０Ｅから出力される出力信号に基づいてエレベーション方向におけるアウタジンバル５１の角速度が検出されたのち、その角速度に応じた駆動信号に基づいてモータ５３が駆動することにより、このモータ５３の駆動力を利用してアウタジンバル５１にトルクが供給される。また、同様にインナジンバル５２がアジマス方向に回動すると、ジャイロセンサ７０Ａから出力される出力信号に基づいてアジマス方向におけるインナジンバル５２の角速度が検出されたのち、その角速度に応じた駆動信号に基づいてモータ５４が駆動することにより、このモータ５４の駆動力を利用してインナジンバル５２にトルクが供給される。これにより、慣性系に対して静止しているようにアウタジンバル５１やインナジンバル５２の姿勢が制御されるため、観察像が安定化される。
【００４３】
以上説明したように、本実施の形態に係る双眼鏡では、２つの直角プリズム１３ＲＭ，１３ＲＮを組み合わせることにより屈曲用プリズム１３Ｒを構成したので、以下の理由により、眼幅調整機構を備えた双眼鏡を容易に製造することができる。
【００４４】
すなわち、像安定化機構５０を備えた双眼鏡において眼幅を調整するためには、例えば、接眼筒１１Ｒ，１１Ｌをボディ１から独立させて回転可能にする必要がある。なぜなら、ボディ１の内部に像安定化機構５０が搭載されているため、眼幅調整の際、接眼筒１１Ｒ，１１Ｌの回転動作に応じてボディ１を折り曲げることができないからである。この場合には、ボディ１を不動としたまま、接眼筒１１Ｒ，１１Ｌのみを回転させて眼幅を調整可能とするために、上記したように、接眼筒１１Ｒ，１１Ｌを回転させた場合においても光路を確保する上で、屈曲用プリズム１３Ｒ，１３Ｌが必要となる。
【００４５】
屈曲用プリズムとしては、例えば、上記「従来の技術」の項で説明した構造、すなわち図９に示したように、菱形プリズム等、断面形状が平行四辺形をなす単体の平行四辺形プリズム（屈曲用プリズム１１３Ｒ）が挙げられる。しかしながら、この屈曲用プリズム１１３Ｒは、上記したように、その特徴的な構造を再現する上で高度な研磨・加工技術を要し、対向する面の平行度を精度よく製造することが困難なため、結果として双眼鏡の製造が困難になる。
【００４６】
これに対して、本実施の形態では、製造が容易な２つの直角プリズム１３ＲＭ，１３ＲＮを用い、これらの直角プリズム１３ＲＭ，１３ＲＮを組み合わせることにより屈曲用プリズム１１３Ｒとほぼ同様の構造の平行四辺形プリズムを構成したので、屈曲用プリズム１１３Ｒと同様の機能を果たしつつ、屈曲用プリズム１３Ｒの製造が容易になる。しかも、製造が容易な直角プリズム１３ＲＭ，１３ＬＭは、一般に、製造が困難な屈曲用プリズム１１３Ｒよりも安価なため、屈曲用プリズム１３Ｒのコストダウンも見込まれる。したがって、本実施の形態では、容易に製造可能な屈曲用プリズム１３Ｒを用いて、眼幅調整機構を備えた双眼鏡を容易に製造可能となるのである。
【００４７】
さらに、本実施の形態では、２つの直角プリズム１３ＲＭ，１３ＲＮ間に配置されたマスク板８４の存在に関する観点においても、以下の理由により、屈曲用プリズム１３Ｒの製造容易化に寄与することができる。
【００４８】
すなわち、本実施の形態では、図５および図６に示したように、２つの直角プリズム１３ＲＭ，１３ＲＮ間に、遮光性材料よりなるマスク板８４を配置させるようにしたので、このマスク板８４の存在により、開口８４Ｋにおいて光路を確保しつつ、直角プリズム１３ＲＭの側面１３ＭＢならびに直角プリズム１３ＲＮの側面１３ＮＢにおける光束の反射が防止される。したがって、本実施の形態では、屈曲用プリズム１１３Ｒ，１１３Ｌにスリット１１３Ｓを設けた従来の場合（図１０参照）とは異なり、コントラストの低下を誘発する不要な光束の内面反射を防止するために屈曲用プリズム１３Ｒにスリットを設ける必要がないため、この観点においても屈曲用プリズム１３Ｒの製造が容易になるのである。
【００４９】
また、本実施の形態では、マスク板８４がプリズムホルダ８０Ｒと一体化され、そのプリズムホルダ８０Ｒの一部をなすようにしたので、プリズムホルダ８０Ｒに２つの直角プリズム１３ＲＭ，１３ＲＮを保持させると、これらの直角プリズム１３ＲＭ，１３ＲＮ間にマスク板８４が自ずと配置される。したがって、本実施の形態では、２つの直角プリズム１３ＲＭ，１３ＲＮ間にマスク板８４を容易に位置合わせすることができる。
【００５０】
なお、上記した屈曲用プリズム１３Ｒ（２つの直角プリズム１３ＲＭ，１３ＲＮ）に関する効果が、この屈曲用プリズム１３Ｒと同様の構成を有する屈曲用プリズム１３Ｌ（２つの直角プリズム１３ＬＭ，１３ＬＮ）についても得られることは、言うまでもない。
【００５１】
以上、実施の形態を挙げて本発明を説明したが、本発明は上記実施の形態に限定されず、種々の変形が可能である。
【００５２】
具体的には、例えば、上記実施の形態では、２つの直角プリズム１３ＲＭ，１３ＲＮ間に、プリズムホルダ８０Ｒの一部をなすマスク板８４が配置されるようにしたが、必ずしもこれに限られるものではなく、例えば、図７に示したように、直角プリズム１３ＲＭの側面１３ＭＢに遮光性材料をパターン蒸着することにより、開口９０Ｋを有するマスク膜９０をあらかじめ設けるようにしてもよい。この場合においても、マスク膜９０の存在により光束が絞られるため、マスク板８４を用いた場合と同様の効果を得ることができる。なお、マスク板８４は必ずしも蒸着処理を利用して形成される必要はなく、例えば、他の成膜手法を利用して形成されるようにしてもよいし、あるいは側面１３ＭＢに遮光性のシートを貼り付けることにより形成されるようにしてもよい。もちろん、マスク膜９０は必ずしも直角プリズム１３ＲＭに設けられる必要はなく、直角プリズム１３ＲＮに設けることも可能である。ここで、マスク膜９０が本発明における「絞りマスク」の一具体例に対応する。
【００５３】
また、上記実施の形態では、例えば、図８に示したように、プリズムホルダ８０Ｒにより２つの直角プリズム１３ＲＭ，１３ＲＮが保持された状態において、これらの直角プリズム１３ＲＭ，１３ＲＮ間の間隙（開口８４Ｋ）に光学樹脂９１を充填させるようにしてもよい。この光学樹脂９１は、主に、直角プリズム１３ＲＭ，１３ＲＮ同士を互いに光学的に接合させることにより不要な光束の反射を防止するためのものであり、その材質としては、例えば、直角プリズム１３ＲＭ，１３ＲＮとほぼ同様の光学特性（屈折率等）を有する合成樹脂などが挙げられる。光学樹脂９１の存在により直角プリズム１３ＲＭ，１３ＲＮにおける不要な光束の内面反射がより防止されるため、観察像を明瞭化することができる。ここで、光学樹脂９１が本発明における「接合剤」の一具体例に対応する。
【００５４】
なお、上記した屈曲用プリズム１３Ｒに関する変形内容が屈曲用プリズム１３Ｌについても適用可能であることは、言うまでもない。
【００５５】
【発明の効果】
以上説明したように、請求項１ないし請求項３のいずれか１項に記載の双眼鏡によれば、屈曲用プリズムが、２つの三角プリズムを組み合わせてなる平行四辺形プリズムを構成するようにしたので、屈曲用プリズムとして単体の平行四辺形プリズムを用いた場合とは異なり、三角プリズムの製造容易性に基づいて屈曲用プリズムの製造が容易になる。したがって、眼幅調整機構を備えた双眼鏡を容易に製造することができる。しかも、安価な三角プリズムを使用することで屈曲用プリズムのコストが低下するため、双眼鏡のコストダウンも見込まれる。
【００５６】
特に、請求項２記載の双眼鏡によれば、２つの三角プリズムの間に絞りマスクを配置させるようにしたので、この絞りマスクの存在により、内面反射防止用のスリットを設けることなく、２つの三角プリズム間における不要な光束の反射が防止される。したがって、製造の困難化を招くスリットが不要になる点からも、屈曲用プリズムの製造容易化に寄与することができる。
【００５７】
また、請求項３記載の双眼鏡によれば、絞りマスクが保持部材と一体化されているため、保持部材に２つの三角プリズムを保持させると、これらの三角プリズム間に絞りマスクが自ずと配置される。したがって、２つの三角プリズム間に絞りマスクを容易に位置合わせすることができる。
【図面の簡単な説明】
【図１】本発明の一実施の形態に係る双眼鏡の外観斜視構成を表す斜視図である。
【図２】図１に示した双眼鏡のＸＹ面に沿った断面構成を表す断面図である。
【図３】図１に示した双眼鏡のＹＺ面に沿った断面構成を表す断面図である。
【図４】図１に示した双眼鏡の要部の斜視構成を拡大して表す斜視図である。
【図５】屈曲用プリズムを装着する前のプリズムホルダの外観斜視構成を拡大して表す斜視図である。
【図６】屈曲用プリズムを装着した際のプリズムホルダの外観斜視構成を拡大して表す斜視図である。
【図７】屈曲用プリズムの構成に関する変形例を表す斜視図である。
【図８】双眼鏡の構成に関する変形例を表す断面図である。
【図９】従来の双眼鏡の要部の斜視構成を拡大して表す斜視図である。
【図１０】従来の屈曲用プリズムの構成に関する問題点を説明するための斜視図である。
【符号の説明】
１…ボディ、１０Ｒ，１０Ｌ…接眼レンズ部、１１Ｒ，１１Ｌ…接眼筒、１２Ｒ，１２Ｌ…接眼レンズ、１３Ｒ，１３Ｌ…屈曲用プリズム、１３ＲＭ，１３ＲＮ，１３ＬＭ，１３ＬＮ…直角プリズム、２０Ｒ，２０Ｌ…対物レンズ部、２１Ｒ，２１Ｌ…対物筒、２２Ｒ，２２Ｌ…対物レンズ、３０Ｒ，３０Ｌ…正立プリズム、４０，７０…回路基板、５０…像安定化機構、５１…アウタジンバル、５２…インナジンバル、５２Ｋ，８２Ｋ，８４Ｋ，９０Ｋ…開口、５３，５４…モータ、７０Ａ，７０Ｅ…ジャイロセンサ、８０Ｒ，８０Ｌ…プリズムホルダ、８０Ｈ…回転軸部、８１…ホルダ本体、８１Ｖ…窪み、８２，８３…プリズム保持窪み、８４…マスク板、８５…プリズム保持部、８５Ｆ１，８５Ｆ２…保持面、９０…マスク膜、９１…光学樹脂、ＪＡ，ＪＥ…回動軸、ＢＲ１，ＢＲ２，ＢＬ１，ＢＬ２…光軸。
【図１】
2004077600.tif 000003
【図２】
2004077600.tif 000004
【図３】
2004077600.tif 000005
【図４】
2004077600.tif 000006
【図５】
2004077600.tif 000007
【図６】
2004077600.tif 000008
【図７】
2004077600.tif 000009
【図８】
2004077600.tif 000010
【図９】
2004077600.tif 000011
【図１０】
2004077600.tif 000012